(57)【要約】【課題】簡易な構成で、原稿載置台１５０に載置されるシートを適切に押えてセットすることが可能なシート押さえ装置１６０を提供する。【解決手段】シート押さえ装置１６０は、原稿載置台１５０と、原稿給送部１２０と、原稿押圧板４１とを備える。原稿載置台１５０は、シートが載置される原稿台ガラス１０を有する。原稿給送部１２０は、原稿載置台１５０に対して開閉可能に支持され、原稿載置台１５０を閉じた位置で原稿載置台１５０を押圧する。原稿押圧板４１は、原稿給送部１２０に対して回動可能に支持され、原稿台ガラス１０に載置される最大サイズのシートより広い領域を押さえる。【選択図】図４
2018023004.tif 000002
【特許請求の範囲】
【請求項１】
シートが載置される透明部材を有するシート載置手段と、
前記シート載置手段に対して開閉可能に支持され、前記シート載置手段を閉じた位置で前記シート載置手段を押圧する押圧部材と、
前記押圧部材に対して回動可能に支持され、前記透明部材に載置される最大サイズのシートより広い領域を押さえるシート押え部材と、を備える、
ことを特徴とするシート押さえ装置。
【請求項２】
前記シート押え部材を前記押圧部材に取着自在に保持する保持手段を有する、
ことを特徴とする請求項１に記載のシート押さえ装置。
【請求項３】
前記保持手段は、前記押圧部材が前記シート載置手段を閉じたときに、前記シート押え部材を保持する、
ことを特徴とする請求項２に記載のシート押さえ装置。
【請求項４】
請求項１乃至３のいずれか１項に記載のシート押さえ装置と、
シートの画像を読み取る画像読取手段と、を備え、
前記画像読取手段が前記シート押え装置の前記透明部材に載置されるシートの画像を読取る、
ことを特徴とする画像読取装置。
【請求項５】
請求項１乃至３のいずれか１項に記載のシート押さえ装置と、
シートの画像を読み取る画像読取装置と、
シートに画像を形成する画像形成部と、を備え、
前記シート押さえ装置が押さえるシートから前記画像読取装置が読取った画像を前記画像形成部でシート上に形成する、
ことを特徴とする画像形成装置。
【発明の詳細な説明】
【技術分野】
【０００１】
本発明は、シート載置手段に載置されるシートを押さえるシート押さえ装置に関する。
【背景技術】
【０００２】
従来、複写機や複合機等の画像形成装置には、装置本体上部に配置された画像読取装置を備えたものがある。この画像読取装置は、原稿台ガラスと、読取対象となる面が原稿台ガラスに対向するように載置された原稿の画像を読み取る画像読取部と、原稿台ガラス上に原稿を押圧するように回動可能に支持された原稿押圧板とを備えている。この画像読取部で読み取られた原稿の画像情報が装置本体側の画像形成部に送られ、この画像形成部で、画像情報に基づいた画像が供給されるシートに形成される。
【０００３】
画像読取装置は、原稿台ガラス上に載せた原稿をその上から原稿押圧板で押えることで、原稿台ガラスに密着させて画像読取を行うように構成されている。この画像読取装置では、原稿台ガラス上に載置された原稿に光を照射し、その反射光を検出することによって原稿の画像情報を読み取る。原稿を押える原稿押圧板として、原稿台ガラス上に原稿の存在しない部分があっても当該部分が黒色に複写されることの無いよう、原稿台ガラスと対向する部分に白色フィルムを貼付したものや、原稿押え部材自体が白色の樹脂材料で形成されたものがある。
【０００４】
ところで、カール等の湾曲した原稿等を読取対象とする場合があるが、その場合には、片手で原稿を押えながら原稿押圧板を閉じることになり、原稿押圧板が全て閉じられるまで原稿を手で押えていることは事実上不可能である。なぜなら、原稿押圧板が閉じられる直前に手を離さなければならず、その時点で原稿はフリーの状態となり、原稿押圧板を閉める際の風圧などでずれることがあり、所望の画像が読み取れないことがあった。
【０００５】
そこで、このような問題を解決しようとする技術として、原稿押圧板（原稿台カバー）が開いた状態において原稿台ガラス上の原稿の位置を固定できるように補助押圧部材を設けた画像読取装置が提案されている（特許文献１参照）。
【先行技術文献】
【特許文献】
【０００６】
【特許文献１】特開２００６−１２１６５８号公報
【発明の概要】
【発明が解決しようとする課題】
【０００７】
ところで、特許文献１のような技術では、原稿を押える原稿押圧板は、原稿台ガラス上に原稿の存在しない部分があっても当該部分が黒色に複写されることの無いように、原稿台ガラスと対向する面を白色にしているのが一般的である。しかしながら、特許文献１に記載される補助押圧部材は、画像形成部の画像読取領域よりも小さく、原稿押圧板に支持された状態で該原稿押圧板との間で段差や隙間を生じる。そのため、例えば、補助押圧部材よりサイズの小さい原稿が原稿台ガラス上に載置された状態で、且つ、画像形成に用いられるシートが補助押圧部材より大きいときは、補助押圧部材と原稿押圧板との隙間は反射しないので、他の反射領域とは濃度差が生じる。これにより、画像形成部で印刷されるシート画像に、影による黒い汚れのような部分が出て、画質を損なうなどのおそれがある。
【０００８】
そこで、本発明は、簡易な構成でシート載置手段に載置されるシートを適切に押えてセットすることが可能なシート押さえ装置を提供することを目的としている。
【課題を解決するための手段】
【０００９】
本発明は、シートが載置される透明部材を有するシート載置手段と、前記シート載置手段に対して開閉可能に支持され、前記シート載置手段を閉じた位置で前記シート載置手段を押圧する押圧部材と、前記押圧部材に対して回動可能に支持され、前記透明部材に載置される最大サイズのシートより広い領域を押さえるシート押え部材と、を備えることを特徴とするシート押さえ装置にある。
【発明の効果】
【００１０】
本発明によれば、簡易な構成でシート載置手段に載置されるシートを適切に押えてセットすることが可能になる。
【図面の簡単な説明】
【００１１】
【図１】本発明の実施形態に係る画像読取装置の全体を示す正面断面図。
【図２】本実施形態に係る読取走査ユニットを拡大して示す断面図。
【図３】（ａ）は原稿給送部を閉じた状態の画像読取装置を示す側面図、（ｂ）は原稿給送部を全開した状態の画像読取装置を示す側面図、（ｃ）は原稿押圧板を開いて保持した状態の画像読取装置を示す側面図。
【図４】本実施形態に係る原稿押圧板を開いて保持した状態の画像読取装置を示す側面断面図。
【図５】原稿給送部を回動支持するヒンジ部を示し、（ａ）は、原稿給送部を閉じた際のヒンジ部の状態を示す側面断面図、（ｂ）は、原稿給送部を所定角度で自立保持した際のヒンジ部の状態を示す側面断面図、（ｃ）は、原稿給送部を全開で自立保持した際のヒンジ部の状態を示す側面断面図。
【図６】本実施形態に係る原稿押圧板を示す斜視図。
【図７】本実施形態に係る原稿押圧板を回転保持する部分を示す原稿給送部の底面斜視図。
【図８】（ａ）は本実施形態に係る原稿押圧板を保持する部分を、原稿押圧板を閉じた状態で示す底面斜視図、（ｂ）は原稿押圧板を保持する部分を、原稿押圧板を開いた状態で示す底面斜視図。
【図９】（ａ）は本実施形態に係る原稿押圧板を保持する部分を、原稿押圧板を閉じた状態で示す底面斜視図、（ｂ）は原稿押圧板を保持する部分を、原稿押圧板を開いた状態で示す底面斜視図。
【図１０】（ａ）は原稿給送部の代わりに原稿押圧板で形成している本実施形態に係る原稿読取装置を示す側面図、（ｂ）は、比較例に係る原稿押圧板と原稿台ガラスとの関係を示す画像読取装置の側面図。
【発明を実施するための形態】
【００１２】
以下、本実施形態に係る画像読取装置を図面に基づいて説明する。本実施形態においては、画像読取装置として、例えば複写機等の画像形成装置に用いられる画像読取装置を例に挙げるが、これに限定されるものではない。尚、以下の実施形態は特許請求の範囲に係る本発明を限定するものでなく、また本実施形態で説明されている特徴の組み合わせの全てが本発明の解決手段に必須のものとは限らない。
【００１３】
［画像読取装置］
まず、図１及び図２を参照して、本実施形態に係る画像読取装置１００について説明する。なお、図１は、この画像読取装置１００の全体を示す正面断面図であり、図２は、読取走査ユニット５０を拡大して示す断面図である。
【００１４】
図１に示すように、画像読取装置１００は、画像形成装置１００ａの装置本体に装着されている。この画像読取装置１００は、原稿（シート）Ｄの画像を読み取る画像読取部（画像読取手段）１１０と、画像読取部１１０に原稿Ｄを給送する原稿給送部１２０とを備えている。画像形成装置１００ａは、このような画像読取装置１００と、シートに画像を形成する画像形成部を備え、後述するように、シート押さえ装置１６０が押さえるシート（原稿）から画像読取装置１００が読取った画像を画像形成部でシート上に形成する。画像形成部は、例えば、感光ドラムと、帯電装置と、露光装置と、現像装置と、転写装置と、定着装置とを備える。帯電装置により帯電された感光ドラムの表面を、画像読取装置１００で読取った画像の信号に基づいて露光装置により露光し、感光ドラムの表面に静電潜像を形成する。そして、この静電潜像を現像装置によりトナー像として顕像化し、転写装置でこのトナー像をシートに転写する。そして、定着装置で加熱、加圧されることで、トナー像がシートに定着される。
【００１５】
画像読取部１１０は、上面部分に、主走査方向（図１の手前−奥方向）に延在する流し読みガラス２０と、この流し読みガラス２０に白色基準板６０を介して隣接するように主走査方向と副走査方向に延設するように配置された透明部材としての原稿台ガラス１０を有するとシート載置手段としての原稿載置台１５０を有している。画像読取部１１０内には、副走査方向に延設されたガイド軸５６と、ガイド軸５６に平行に延設された駆動ベルト５４と、画像読取部１１０内の底部一端に設けられた駆動モータ５５とが配置されている。駆動モータ５５の回転駆動力が駆動ベルト５４を介して読取走査ユニット５０に伝達されると、読取走査ユニット５０はガイド軸５６に沿って副走査方向（矢印Ｈ方向）に移動し、原稿台ガラス１０に載置された原稿Ｄの画像を読み取るように構成されている。
【００１６】
読取走査ユニット５０は、図２に示すように、流し読みガラス２０及び原稿台ガラス１０の下方において原稿に光を照射する光源５１ａ，５１ｂと、原稿で反射した光を集光する光学レンズ５２と、光学レンズ５２により導かれた光を受ける撮像部５３とを有している。光源５１ａ，５１ｂはそれぞれ、赤色ＬＥＤ、緑色ＬＥＤ、青色ＬＥＤの３つを備えた白色タイプの導光体を含み、原稿台ガラス１０に対して所定角度だけ傾斜する方向から原稿に光を照射する。
【００１７】
上記構成において、光源５１ａ，５１ｂから照射されて原稿で反射された反射光は、光学レンズ５２によって、主走査方向に並んだ複数の光電変換素子から構成される撮像部５３の所定の結像位置へと導かれる。そして、原稿で反射した反射光が撮像部５３で撮像されることにより原稿の画像情報が等倍で読み取られ、不図示の画像記憶部に格納される。
【００１８】
なお、主走査方向に並んだ撮像部５３の各光電変換素子には、歪み（出力誤差）が存在する。そこで、原稿画像を読み取る前に撮像部５３の出力信号を一様にするため、原稿台ガラス１０の端部に設けられた白色基準板６０を読み取った時の出力信号を用いて歪みを補正するシェーディング補正が行われる。また、シェーディング補正時に光源５１ａ，５１ｂの露光量を一定に保つために光量調整等が行われる。
【００１９】
また図１に示すように、押圧部材としての原稿給送部１２０は、画像読取部１１０に対し、ヒンジ部１３０（図４、図５参照）を介して開閉可能で、原稿台ガラス１０に対しヒンジ部１３０を支点として第１の所定角度θ１（図３（ｃ）、図４参照）に保持可能に構成される。これにより、原稿給送部１２０は、原稿台ガラス１０及び流し読みガラス２０を有する原稿載置台１５０の上面を開放又は閉塞可能に構成される。原稿給送部１２０は、原稿載置台１５０に閉じられた状態で、原稿台ガラス上（原稿載置台上）の原稿を後述する原稿押圧板（シート押え部材）４１の押圧面４１ａ（図３（ｂ）参照）で押し付け可能に構成されている。即ち、原稿給送部１２０は、原稿載置台１５０を閉じた位置で原稿載置台１５０を押圧する。本実施形態では、原稿載置台１５０、原稿給送部１２０、原稿押圧板４１でシート押さえ装置１６０を構成している。原稿給送フレーム部１２１は、画像読取部（画像読取手段）１１０の読取位置（図１における流し読みガラス２０に対応する位置）に原稿を給送する自動原稿給送装置を有している。また、原稿押圧板４１の重量は、原稿給送フレーム部１２１の重量よりも小さく設定されている。
【００２０】
ここで、原稿の読み取り方式には、ユーザによって原稿台ガラス１０に載置された原稿の画像を読み取る「固定読み方式」と、原稿給送部１２０によって流し読みガラス２０上に給送される原稿の画像を読み取る「流し読み方式」とがあり、画像読取装置１００は、これら両方式の読み取りが可能に構成されている。
【００２１】
「固定読み方式」を用いて原稿画像を読み取る場合は、ユーザにより原稿給送部１２０が画像読取部１１０から開放されて原稿台ガラス１０上に原稿が載置された後、原稿給送部１２０が閉塞されることにより原稿台ガラス１０上に原稿が位置規制されて載置される。そして、原稿台ガラス１０の下方を読取走査ユニット５０が走査しながら読み取りを行うことで、原稿の画像が読み取られる。ここで、読取走査ユニット５０の走査方向（矢印Ｈ方向）を副走査方向といい、これに直交する方向（図１の手前−奥方向）を主走査方向という。一方、「流し読み方式」を用いて原稿の画像を読み取る場合は、ユーザにより原稿積載部３０に載置された原稿Ｄを給送ローラ３１で引き出し、分離ローラ３２と分離板３３とからなる分離部に送り込む。ここで、分離ローラ３２及び分離板３３は、給送ローラ３１で複数枚の原稿Ｄが給送された場合に、原稿Ｄを１枚ずつ分離しながら下流に搬送する。
【００２２】
また、図１に示すように、レジセンサＳ１により原稿Ｄの先端が検出されると、レジストローラ対３４の回転が停止され、分離ローラ３２によって搬送される原稿Ｄの先端がレジストローラ対３４のニップ部で受け止められ、原稿Ｄの斜行が矯正（補正）される。ここで、レジセンサＳ１は、その検出情報を制御部（不図示）に送る。この制御部は、検出情報に基づき、原稿Ｄの斜行矯正のタイミングを計る他に、原稿Ｄの後端を検出したことに応じて給送ローラ３１による給送タイミングを計ったり、原稿Ｄの先端及び後端の検出タイミングに応じて原稿Ｄのサイズ判定を行ったりする。
【００２３】
レジストローラ対３４で斜行が矯正された原稿Ｄは、搬送路ＰＳ１を経由して流し読みガラス２０上へと搬送される。そして、リードセンサＳ２で検知される読み取りタイミングに合わせて、流し読みガラス２０の読取位置の下方で停止している読取走査ユニット５０が原稿Ｄの画像を読み取る。このとき、原稿Ｄは、所定の回転数で回転するプラテンローラ３５によって流し読みガラス２０の上面から浮き上がり量を規制された状態で搬送されながら、読取走査ユニット５０によって画像を読み取られる。
【００２４】
また、プラテンローラ３５の原稿搬送方向上流と原稿搬送方向下流には、それぞれリードローラ対３６とリードローラ対３７とが配置されている。原稿Ｄは、読取走査ユニット５０によって画像を読み取られながらリードローラ対３６とリードローラ対３７とによって搬送される。
【００２５】
ここで、原稿Ｄの片面のみを読み取る場合、画像を読み取られた原稿Ｄは、リードローラ対３７によって反転排出ローラ対３８に搬送され、反転排出ローラ対３８により原稿排出部３９に排出される。反転排出ローラ対３８の搬送方向上流側には排出センサＳ３が配置されており、不図示の制御部は、排出センサＳ３による原稿端部の検出タイミングから、原稿Ｄが原稿排出部３９へと排出されたか否かを判定する。
【００２６】
一方、原稿Ｄの両面を読み取る場合には、原稿Ｄは１面目を読み取られた後、原稿排出中の反転排出ローラ対３８が一旦停止された後に逆回転することにより装置内に引き戻される。そして、切替え部材４０により搬送路が反転搬送路ＰＳ２に切り替えられることで、原稿Ｄが、搬送路ＰＳ１内に再度送り込まれ、読取走査ユニット５０によって原稿Ｄの２面目が読み取られた後、片面読取時と同様に原稿排出部３９に排出される。なお、レジセンサＳ１、リードセンサＳ２及び排出センサＳ３は、それぞれの原稿端部を検出して制御部（不図示）に検出信号を出力し、制御部は、受信した検出信号に基づき、原稿搬送時の滞留ジャムや遅延ジャム等を判定する。
【００２７】
また、読取走査ユニット５０は、原稿の画像を読み取る場合、主走査方向に延びる光源５１ａ，５１ｂ（図２参照）から原稿に光を照射し、その反射光を検出することによって原稿画像を読み取る。また、読取走査ユニット５０は、その下部が駆動ベルト５４に固定され、駆動モータ５５の駆動力が駆動ベルト５４を介して伝達されることで、矢印Ｈ方向に延設されたガイド軸５６に沿って移動させられ、原稿台ガラス１０の下面を走査可能させられる。なお、駆動モータ５５には、ステッピングモータやＤＣモータ等を用いることが可能である。
【００２８】
［原稿押圧板の詳細］
次に、図３（ａ）〜（ｃ）を用いて、画像読取部１１０に対して異なる角度に開閉可能な原稿給送部１２０を有するシート押さえ装置１６０に備えられた原稿押圧板（シート押え部材）４１の詳細について説明する。なお、図３（ａ）は、原稿給送部１２０を閉じた状態の画像読取装置１００を示す側面図、図３（ｂ）は、原稿給送部１２０を最大角度に回動させて原稿を原稿台ガラス１０に載置可能にした状態の画像読取装置１００を示す側面図である。図３（ｃ）は、原稿押圧板４１を下方に開いて保持した状態の画像読取装置１００を示す側面図である。図４は、本実施形態に係る原稿給送部１２０を回転保持して原稿押圧板４１（白色プレート部）を開いた状態の画像読取装置１００を示す側面断面図である。
【００２９】
通常、原稿を透明部材としての原稿台ガラス１０上に載置する場合には、原稿給送部１２０を不図示の把手部に手を掛けて回動軸を中心に回動させ、十分な開口量を確保した時点で行う。その際、原稿はほぼ平滑を保った状態であれば、所定の位置に載置して原稿給送部１２０を閉じる動作を行う。しかし、図１０（ｂ）に示す比較例のように、カールが強い原稿Ｄ２に関しては、原稿台ガラス１０のガラス面上にそのまま載置することが困難であり、片手で原稿Ｄ２を押えながら原稿給送部１２０に備える原稿押圧板４１’と共に閉じることになる。しかしながら、原稿押圧板４１’が全て閉じられるまで原稿Ｄ２を手で押えていることは事実上不可能である。
【００３０】
そこで、本実施形態では、図３（ｃ）及び図４に示すように、原稿給送部１２０を画像読取部１１０に対して第１の所定角度θ１に開放した状態で、原稿押圧板４１が原稿給送部１２０から独立して回動するように構成し、シート押え部材としての原稿押圧板４１が原稿台ガラス１０と間隔Ｈ１及び間隔Ｈ２とを一定量に保った状態で維持可能に構成されている。
【００３１】
［原稿押圧板の回動分離構成］
次に、図６〜図９を参照して、本実施形態に係るシート押え部材としての原稿押圧板４１を原稿給送部（押圧部材）１２０に保持する構成について詳細に説明する。なお、図６は、本実施形態に係る原稿押圧板４１を示す斜視図である。図７は、原稿押圧板４１を回転保持する部分を示す原稿給送部１２０の底面斜視図である。図８（ａ）は、原稿押圧板４１を保持する部分を示す原稿押圧板４１を閉じた状態での原稿給送部１２０の底面斜視図である。図８（ｂ）は、原稿押圧板４１を保持する部分を示す原稿押圧板４１を開いた状態での原稿給送部１２０の底面斜視図である。図９（ａ）は、原稿押圧板４１を保持する部分を示す原稿押圧板４１を閉じた状態における原稿給送部１２０の底面斜視図である。図９（ｂ）は、原稿押圧板４１を保持する部分を示す原稿押圧板４１を開いた状態における原稿給送部１２０の底面斜視図である。
【００３２】
図６に示すように、原稿押圧板４１は矩形状に構成されている。原稿押圧板４１の裏面には、図４における手前−奥方向に対応するように２箇所に設けられた回転軸受部４１ｅと、図４における手前−奥方向の奥側に１箇所設けられて原稿押圧板４１を原稿給送部１２０側の受け部１２１ｂ（図８参照）に引っ掛ける引っ掛け部４１ｂとが設けられている。更に原稿押圧板４１の裏面には、手前−奥方向の手前側に１箇所設けられて原稿押圧板４１を原稿給送部１２０側の受け部１２１ｄ（図９参照）に引っ掛ける引っ掛け部４１ｄと、手前側に１箇所設けられたストッパ保持部４１ｃとが設けられている。
【００３３】
引っ掛け部４１ｂ，４１ｄ及び受け部１２１ｂ，１２１ｄにより、保持手段が構成されている。このロック手段により、原稿給送フレーム部１２１側（押圧部材側）に回動させて密着した状態で原稿押圧板４１を原稿給送部１２０の原稿給送フレーム部１２１に係脱可能、言い換えれば、装着及び取り外しが自在（取着自在）に、容易にロックすることができる。これにより、カールしていないあるいはカールが微小な原稿Ｄ１（図３（ｂ）参照）での原稿台ガラス１０上に載置するときは不必要なので、原稿押圧板４１の開放を、一連の操作で手間なく収納することができる。
【００３４】
回転軸受部４１ｅ，４１ｅは、原稿給送フレーム部１２１の下面において回転軸受部４１ｅ，４１ｅに夫々対応する位置に設けられた回動軸部１２１ｅ，１２１ｅ（図７参照）に回動自在に係合することが可能に構成されている。これにより、原稿押圧板４１は、回転軸受部４１ｅの軸中心基準で回動可能に構成される。回転軸受部４１ｅと回動軸部１２１ｅとによって回動支持部が構成され、この回動支持部によって原稿押圧板４１の回動軸４５（図７参照）が構成されている。この回動軸４５は、原稿給送フレーム部１２１のヒンジ回動軸（回動軸）１３３と平行に、且つ該ヒンジ回動軸側に設けられている。
【００３５】
引っ掛け部４１ｂ，４１ｄは、原稿給送部１２０の原稿給送フレーム部１２１に対して原稿押圧板４１が回動する動作を保持したり解除したりする部材である。引っ掛け部４１ｂは、図８（ａ），（ｂ）及び図９（ａ），（ｂ）に示すように原稿給送フレーム部１２１側に設けられた受け部１２１ｂと係合可能に構成され、引っ掛け部４１ｄは、原稿給送フレーム部１２１側に設けられた受け部１２１ｄと係合可能に構成されている。本実施形態では、図３（ｂ）に示すように原稿給送フレーム部１２１側に原稿押圧板４１が係合した状態（装着状態）から、原稿押圧板４１を押し下げることにより、樹脂製のプレート状に構成された原稿押圧板４１がその弾性により撓む。これにより、受け部１２１ｂに対して係合している引っ掛け部４１ｂが外れ、受け部１２１ｄに対して係合している引っ掛け部４１ｄが外れることで、原稿給送フレーム部１２１に係合して一体的に回動保持されていた原稿押圧板４１の係合が解除され、図３（ｃ）及び図４に示すように位置することが可能である。
【００３６】
［原稿押圧板のストッパ構成］
原稿押圧板４１が原稿給送フレーム部１２１から回動保持を解除されると、即ち、原稿押圧板４１が原稿給送部１２０の原稿給送フレーム部１２１から取り外されると、原稿押圧板４１の底面部１２１ａに対する回動角度が押圧板ストッパ部材４２で規制される（図３（ｃ）、図４）。押圧板ストッパ部材４２は、樹脂製のベルトからなり、原稿給送フレーム部１２１上の原稿押圧板４１のストッパ部材受け部１２１ｃと、原稿押圧板４１のストッパ保持部４１ｃとを連結している。押圧板ストッパ部材４２は、原稿押圧板４１の原稿給送フレーム部１２１に対する最大回動位置を規制することで、原稿押圧板４１を第２の所定角度θ２に保持する。
【００３７】
［原稿押圧板の自立保持構成］
よりカールが強い原稿Ｄ２を原稿台ガラス１０上に載置しやすくさせる手段としては、図４に記載されるような角度（第１の所定角度θ１）に、原稿給送部１２０を手で支えないとしても保持（自立保持）できることが挙げられる。
【００３８】
次に、図５（ａ），（ｂ），（ｃ）を参照して、原稿給送部１２０を回動させるヒンジ部１３０において自立保持をする構成について説明をする。図５（ａ）は、原稿給送部１２０が画像読取部１１０に対し閉じられた状態を示している。
【００３９】
図５（ａ）に示すように、ヒンジ部１３０は、画像読取部１１０側で保持しているヒンジフレーム１３５と、ヒンジフレーム１３５の内部に設けられたヒンジスライドカム１３１と、その上下方向に沿って縮設された圧縮ばね１３４とを有している。原稿給送部１２０側には、ヒンジフレーム１３５に連結されるヒンジ回動軸１３３を中心に回動させるヒンジガイド１３２が、原稿給送フレーム部１２１に固定されている。同図では、ヒンジガイド１３２のカム部１３２ａがカム面１３１ｂに当接している。
【００４０】
図５（ｂ）は、本実施形態に係るカール原稿（図４のＤ２参照）を保持可能な状態で原稿給送部１２０を自立保持した側面断面図を示している。図５（ｂ）に示すように、上記と同様にヒンジスライドカム１３１に圧接している圧縮ばね１３４の付勢力により、ヒンジスライドカム１３１のカム面１３１ｂの凸形状に合わせてカム部１３２ｂが押し上げられ、バランスを保つ位置で保持されている状態である。
【００４１】
図５（ｃ）は、原稿給送部１２０が最大角度まで回動して開いた状態を示している。ヒンジ回動軸１３３を中心にヒンジガイド１３２が回動すると、ヒンジスライドカム１３１に圧接している圧縮ばね１３４の付勢力により、ヒンジスライドカム１３１のカム面１３１ａ，１３１ｂ，１３１ｃと接するカム部１３２ｂ，１３２ｃが押し上げられ、バランスを保つ位置で保持されている状態である。以上のように、ヒンジ部１３０は、原稿給送フレーム部１２１側に連結されたヒンジガイド（係合部）１３２と、画像読取部（画像読取手段）１１０側に連結されたヒンジスライドカム（被係合部）１３１とを有する。このヒンジ部１３０は、ヒンジガイド１３２とヒンジスライドカム１３１との係合により、原稿給送フレーム部１２１を第１の所定角度θ１に保持することが可能になっている。
【００４２】
［原稿押圧板を閉じると連結する構成］
前述のように、原稿押圧板４１を原稿給送フレーム部１２１に保持する構成では、原稿押圧板４１を押し下げることで回動保持を解除可能にして、図４のように原稿押圧板４１の角度を形成しているが、原稿Ｄ１又は原稿Ｄ２を原稿台ガラス１０上の所定の位置に載置できれば、原稿給送部１２０を全て閉じるように操作をする。
【００４３】
その際、分離させていた原稿押圧板４１の引っ掛け部４１ｂと原稿給送フレーム部１２１側の原稿給送フレーム部上の原稿押圧板４１の受け部１２１ｂとは、原稿読取操作が終了して原稿Ｄ１（図３（ｂ））もしくは原稿Ｄ２（図４）を取り出すために原稿給送部１２０をヒンジ回動軸１３３を中心として回動させた際に、両者が再び連結した状態になるように構成されている。即ち、引っ掛け部４１ｂ及び受け部１２１ｂは、原稿給送部１２０が原稿載置台１５０を閉じたときに、原稿押圧板４１を保持する。
【００４４】
以上の構成の原稿押圧板４１は、図３（ａ）〜（ｃ）及び図４に示すように、原稿給送部１２０に対し、回転軸受部４１ｅ及び回動軸部１２１ｅ（図７参照）を支点として開閉可能で、原稿給送部１２０の押圧面４１ａに対し回転軸受部４１ｅ及び回動軸部１２１ｅ（回動軸４５）を支点として第２の所定角度θ２で且つ原稿台ガラス１０に対して所定空間Ｓｐをあけた状態となる。
【００４５】
そして、原稿押圧板４１は、原稿給送部１２０と共に原稿台ガラス１０に閉じられた状態で原稿台ガラス上の原稿を押し付け可能な、画像読取部１１０による画像読取領域Ａｒより大きいサイズに構成されている。即ち、原稿押圧板４１は、原稿台ガラス１０に載置される最大サイズのシート（原稿）より広い領域を押さえられるように構成されている。これにより、原稿押圧板４１と原稿台ガラス１０との間の所定空間Ｓｐにカールした原稿Ｄ２（図１０（ｂ）参照）を置いて平坦状になるように原稿押圧板４１で押えながら、原稿給送部１２０を画像読取部１１０に対して閉塞することができる。なお、原稿押圧板４１は、画像読取領域Ａｒの少なくとも全体を覆うことが可能であればよく、画像読取領域Ａｒと同じサイズであっても良い。
【００４６】
図４に示すように、原稿Ｄ２を矢印Ａ方向から原稿台ガラス１０に載置するときの載置方向上流側の間隔Ｈ２と下流側の間隔Ｈ１との量は、丸まる（丸くなる）ほどにカールが強い原稿Ｄ２であっても、原稿押圧板４１と原稿台ガラス１０間で略平滑に挟み込んで、再び丸まるのを防ぐ広さに設定されている。一例としては、間隔Ｈ１，Ｈ２がそれぞれ約２０ｍｍ程度以下の空間であれば、感熱紙のようなコシが弱く丸まりやすい原稿であっても保持できる結果がある。
【００４７】
原稿を矢印Ａ方向から原稿台ガラス１０に載置するため、間隔Ｈ１と間隔Ｈ２との関係は、同等の空間量もしくは間隔Ｈ２のほうがＨ１よりも広く設定されていることが望ましい。即ち、所定空間Ｓｐは、原稿押圧板４１の回動軸４５側の間隔Ｈ１よりも先端側の間隔Ｈ２の方が広く設定されるように構成することが望ましい。間隔Ｈ２は、２０ｍｍを超える量を確保しているほうが望ましい。
【００４８】
以上の本実施形態によれば、原稿給送フレーム部１２１を、原稿台ガラス１０に対する第１の所定角度θ１に保持したとき、原稿押圧板４１が原稿給送フレーム部１２１から独立して回動するように構成している。原稿押圧板４１は、原稿台ガラス１０との間の所定空間Ｓｐを一定量保った状態まで回動保持することが可能である。このため、カール原稿を原稿台ガラス１０上に載置する際に、片手でカール原稿を押えながら、回動自在で軽量のため操作性の良い原稿押圧板４１でカール原稿を原稿台ガラス１０に押圧した後、原稿給送フレーム部１２１及び自動原稿搬送のための機構等を備えた大型で重量を有する原稿給送部１２０を閉じる。これにより、カールしている原稿Ｄ２を、原稿台ガラス１０と原稿押圧板４１との間で平滑に近い状態にして、適正な位置に容易に載置することが可能となる。
【００４９】
従って、たとえ丸まるほどのカールが大きい原稿であっても所定空間Ｓｐに挟みこむようにセットすることが容易であり、特別なカール押え部材などを用意する必要がなく、良質な画像読取を実施することができる。このように、原稿台ガラス１０全体を覆うことが可能な原稿押圧板４１の配置により、カールのある原稿Ｄ２を押えることが可能で、原稿がない部分も全域が白色部（画像読取領域Ａｒより大きい白色プレート部）を保っているため、画像読取部１１０で読み取った場合の濃度差が発生することがない。カールが強い原稿を容易に押えることが可能な原稿押圧板４１は、原稿台ガラス上に原稿の存在しない部分があっても当該部分が黒色に複写されることが無いように、原稿台ガラスと対向する面が白色である必要がある。本実施形態によれば、原稿台ガラス１０と対向する面が全域に亘って白色面に段差や隙間がなく、濃度差が発生しない良質な画像読取が可能になる。これにより、従来のように原稿からはみ出て原稿が無い部分を読み取る場合に濃度差が発生するような問題を解決することができる。
【００５０】
また本実施形態では、原稿押圧板４１の重量が原稿給送フレーム部１２１の重量よりも小さい。このため、例えば、図４に示す状態から矢印Ａ方向に原稿Ｄ２が挿入される際に、カールしている該原稿Ｄ２を掴みつつ所定空間Ｓｐに押し込まれる手で原稿押圧板４１を軽く浮き上がらせながら、所定空間Ｓｐ内に簡単に原稿Ｄ２をセットすることができる。そして、原稿押圧板４１の回動軸４５が、原稿給送フレーム部１２１のヒンジ回動軸（回動軸）１３３と平行に且つ該回動軸側に設けられ、所定空間Ｓｐが、原稿押圧板４１の回動軸側の間隔Ｈ１よりも先端側の間隔Ｈ２の方が広く設定されている。これにより、所定空間Ｓｐ内への原稿Ｄ２の挿入がより簡単になる。
【００５１】
また本実施形態において、ヒンジ部１３０は、原稿給送フレーム部側に連結されたヒンジガイド１３２と、画像読取部１１０側（画像読取手段側）に連結されたヒンジスライドカム１３１とを有し、ヒンジガイド１３２とヒンジスライドカム１３１との係合により原稿給送フレーム部１２１を第１の所定角度θ１に保持する。このため、比較的簡単な構成により原稿給送フレーム部１２１を確実に第１の所定角度θ１に保持することができる。
【００５２】
また本実施形態において、押圧板ストッパ部材４２は、原稿押圧板４１の原稿給送フレーム部１２１に対する最大回動位置を規制することで原稿押圧板４１を第２の所定角度θ２に保持する。このため、押圧板ストッパ部材４２の長さの設定を変えることで、第１の所定角度θ１に保持された原稿給送フレーム部１２１（図４参照）に対する原稿押圧板４１の角度を、簡単に変更することが可能になる。
【００５３】
以上のように本実施形態では、複数の原稿を自動で給送して読み取る原稿給送部１２０に本発明を適用したが、これに限らず、図１０（ａ）に示すような原稿台ガラス１０上に載置して読み取る固定読み方式でのみ使用される原稿押圧板ユニット１４０を用いる場合においても、同様の効果を得ることが可能である。
【符号の説明】
【００５４】
１０…原稿台ガラス（透明部材）
３０…原稿積載部
４１…原稿押圧板（シート押え部材）
４１ｂ，１２１ｂ…引っ掛け部，受け部（保持手段）
４１ｄ，１２１ｄ…引っ掛け部，受け部（保持手段）
４２…押圧板ストッパ部材
１００…画像読取装置
１１０…画像読取部（画像読取手段）
１２０…原稿給送部（押圧部材）
１２１…原稿給送フレーム部
１３０…ヒンジ部
１３１…第２カム部（被係合部）
１３２…第１カム部（係合部）
１５０…原稿載置台（シート載置手段）
１６０…シート押さえ装置
Ａ…原稿の挿入方向
Ａｒ…画像読取領域
Ｄ，Ｄ１，Ｄ２…原稿
Ｈ１…回動軸側の間隔
Ｈ２…先端側の間隔
Ｓｐ…所定空間
θ１…第１の所定角度
θ２…第２の所定角度
【図１】
2018023004.tif 000003
【図２】
2018023004.tif 000004
【図３】
2018023004.tif 000005
【図４】
2018023004.tif 000006
【図５】
2018023004.tif 000007
【図６】
2018023004.tif 000008
【図７】
2018023004.tif 000009
【図８】
2018023004.tif 000010
【図９】
2018023004.tif 000011
【図１０】
2018023004.tif 000012